(57)【要約】  空調装置の消費電力の予想精度を向上させる。バッテリの電力を用いて可能な１以上の空調装置を備えた車両で消費される消費電力を予測する消費電力予測装置であって、車両の乗車人数を検知する乗車人数検知部と、前記車両の空調装置の動作数を検知する空調装置動作数検知部と、前記車両の乗車室内の室温を検知する室温検知部と、前記各空調装置の設定温度を取得する空調装置設定温度取得部と、前記乗車人数と、前記空調装置の動作数と、前記室温と、前記空調装置設定温度と、を用いて、前記空調装置の消費電力を予測する消費電力予測部と、を備える。
2013088464.tif 000002
【特許請求の範囲】
【請求項１】
バッテリの電力を用いて可能な１以上の空調装置を備えた車両で消費される消費電力を予測する消費電力予測装置であって、
車両の乗車人数を検知する乗車人数検知部と、
前記車両の空調装置の動作数を検知する空調装置動作数検知部と、
前記車両の乗車室内の室温を検知する室温検知部と、
前記各空調装置の設定温度を取得する空調装置設定温度取得部と、
前記乗車人数と、前記空調装置の動作数と、前記室温と、前記空調装置設定温度と、を用いて、前記空調装置の消費電力を予測する消費電力予測部と、
を備える消費電力予測装置。
【請求項２】
請求項１に記載の消費電力予測装置において、
前記乗車人数検知部は、車両の座席に設けられた座席センサを用いて前記乗車人数を検知する、消費電力予測装置。
【請求項３】
請求項２に記載の消費電力予測装置において、
前記座席センサは、前記座席に備え付けられたシートベルトの着脱センサである、消費電力予測装置。
【請求項４】
請求項１に記載の消費電力予測装置において、
前記車両は、画像撮像装置を備え、
前記乗車人数検知部は、前記画像撮影装置により撮像された画像を用いて前記乗車人数を検知する、消費電力予測装置。
【請求項５】
請求項２または３に記載の消費電力予測装置において、さらに、
前記座席センサを用いて乗車位置を判断し、前記乗車位置に基づいて、各空調装置のオン・オフを制御する空調装置制御部を備える、消費電力予測装置。
【請求項６】
請求項１〜５のいずれか一項に記載の消費電力予測装置において、
前記空調装置動作数検知部は、各空調装置のスイッチのオン・オフの数を用いて前記空調装置の動作数を検知する、消費電力予測装置。
【請求項７】
エンジンの動力によって駆動される発電機からの電力により充電可能なバッテリを備える車両の車両制御装置であって、
請求項１〜６のいずれか一項に記載の消費電力予測装置と、
前記エンジンのアイドリングストップ制御を行うアイドリングストップ制御部と、
前記バッテリの蓄電状態（ＳＯＣ）を検出するＳＯＣ検出部と、
前記車両の走行時に、前記消費電力予測装置により予測された前記空調装置の消費電力に基づいて、前記アイドリングストップ制御によるエンジン停止から再始動までのストップアンドスタート期間において使用すると予想されるアイドリングストップ用電力量を設定する電力量設定部と、
前記車両の走行時に、前記ＳＯＣ検出部によって検出されたＳＯＣと、前記使用可能なＳＯＣ範囲の下限値との差である残存電力量が、前記アイドリングストップ用の電力量を下回ることを回避するように、前記発電機の電力による前記バッテリの充電を制御するＳＯＣ制御部と
を備える車両制御装置。
【請求項８】
請求項７に記載の車両制御装置であって、
前記車両の走行状態から停止状態に減速されるときに、回生される回生電力量を予測する回生電力量予測部を備え、
前記ＳＯＣ制御部は、走行中の前記残存電力量に前記回生電力量を加えた電力量が、前記アイドリングストップ用の電力量を下回ることを回避するように、前記発電機の電力による前記バッテリの充電を制御する、車両制御装置。
【請求項９】
請求項７または請求項８に記載の車両制御装置であって、
前記電力量設定部は、
停車を引き起こす車両の走行環境を予測する走行環境予測部を備え、
前記走行環境に基づいて前記アイドリングストップ用電力量を決定する、
車両制御装置。
【請求項１０】
車両であって、
エンジンと、
前記エンジンの動力によって駆動される発電機の発電量によって充電可能なバッテリと、
請求項７〜９のいずれか一項に記載の車両制御装置と、
を備える、車両。
【請求項１１】
車両で消費される消費電力を予測する消費電力予測方法であって、
（ａ）車両の乗車人数を検知する工程と、
（ｂ）前記車両の空調装置の動作数を検知する工程と、
（ｃ）前記車両内の室温を検知する工程と、
（ｄ）前記空調装置の設定温度を取得する工程と、
（ｅ）前記乗車人数と、前記空調装置の動作数と、前記室温と、前記空調装置設定温度と、を用いて、前記空調装置の消費電力を予測する工程と、
を備える消費電力予測方法。
【請求項１２】
エンジンと、前記エンジンの動力によって駆動される発電機の発電量によって充電可能なバッテリと、を有する車両を制御する車両制御方法であって、
（ｆ）アイドリングストップ制御を行う工程と、
（ｇ）前記バッテリの蓄電状態（ＳＯＣ）を検出する工程と、
（ｈ）前記車両の走行時に、請求項１１に記載の工程（ａ）〜（ｅ）の結果を用いて、アイドリングストップ中に消費される電力量をアイドリングストップ用の電力量として予測する工程と、
（ｉ）前記車両の走行時に、前記ＳＯＣ検出部によって検出されたＳＯＣと、前記使用可能なＳＯＣ範囲の下限値との差である残存電力量が、前記アイドリングストップ用の電力量を下回ることを回避するように、前記発電機の電力による前記バッテリの充電を制御する工程と
を備える車両制御方法。
【発明の詳細な説明】
【技術分野】
【０００１】
本発明は、車両における消費電力を予測する技術に関する。
【背景技術】
【０００２】
自動車には、エンジンとバッテリが搭載されており、エンジンの動力によってバッテリは充電される。従来、バッテリへの充電を行う充電制御として、通常走行中はバッテリへの充電を抑えることで燃料消費量を節約し、減速走行中に回生発電によりバッテリへの充電を行なう技術が知られている。【０００３】
また、燃料消費量を節約するものとして、アイドリングストップ（アイドル・リダクションともいう）制御が知られている。下記の特許文献１には、燃費向上の要請から、充電制御の機能とアイドリングストップ制御の機能との両方を備える自動車が開示されている。【０００４】
しかしながら、前記技術では、アイドリングストップ制御によるエンジンの停止中に、バッテリに蓄積された電気量が補機類によって消費されると、ＳＯＣ（Ｓｔａｔｅ  ｏｆ  Ｃｈａｒｇｅ）不足からエンジンが再始動されることがあった。「ＳＯＣ」とは、バッテリにどの程度の電力が残存しているかを示す指標である。補機類の中でもエアコン（空調装置）は、電力消費量が大きいため、その消費電力を予測することは重要である。外気温と車内温と空調装置設定温度と日射量とにもとづいてエンジンストップ中のコンプレッサの消費電力量を推定する技術が知られている（例えば特許文献３）。
【先行技術文献】
【特許文献】
【０００５】
【特許文献１】特開２００５−６７２９３号公報
【特許文献２】特開２０１１−１６３２８１号公報
【特許文献３】特開２００４−１７６６２４号公報
【発明の概要】
【発明が解決しようとする課題】
【０００６】
しかし、従来の技術の場合、空調装置の消費電力に対する乗員の数の影響については十分に考慮がされていなかった。【０００７】
本発明は、上記課題の少なくとも１つを解決するものであり、乗員の数を考慮し、空調装置の消費電力の予想精度を向上させ、車両の燃費を向上させることを目的とする。
【課題を解決するための手段】
【０００８】
本発明は、上述の課題の少なくとも一部を解決するために、以下の形態または適用例を取ることが可能である。【０００９】
[適用例１]
バッテリの電力を用いて可能な１以上の空調装置を備えた車両で消費される消費電力を予測する消費電力予測装置であって、車両の乗車人数を検知する乗車人数検知部と、前記車両の空調装置の動作数を検知する空調装置動作数検知部と、前記車両の乗車室内の室温を検知する室温検知部と、前記各空調装置の設定温度を取得する空調装置設定温度取得部と、前記乗車人数と、前記空調装置の動作数と、前記室温と、前記空調装置設定温度と、を用いて、前記空調装置の消費電力を予測する消費電力予測部と、を備える消費電力予測装置。
一般に人間は、発熱体であり、乗車人数により、空調装置の消費電力が異なる。この適用例によれば、車両に乗車人数に基づいて、空調装置の消費電力を予測するので、車両の消費電力の予測精度を向上させることができる。【００１０】
[適用例２]
適用例１に記載の消費電力予測装置において、前記乗車人数検知部は、車両の座席に設けられた座席センサを用いて前記乗車人数を検知する、消費電力予測装置。
一般に車両には、シートベルトの着用を検知するための座席センサとシートベルトの着脱センサを備えている。この適用例によれば、あらたなセンサを設けることなく乗車人数を検知することができる。【００１１】
[適用例３]
適用例２に記載の消費電力予測装置において、前記座席センサは、前記座席に備え付けられたシートベルトの着脱センサである、消費電力予測装置。
一般に車両には、シートベルトの着用を検知するための座席センサとシートベルトの着脱センサを備えている。この適用例によれば、あらたなセンサを設けることなく乗車人数を検知することができる。【００１２】
[適用例４]
適用例１に記載の消費電力予測装置において、前記車両は、画像撮像装置を備え、前記乗車人数検知部は、前記画像撮影装置により撮像された画像を用いて前記乗車人数を検知する、消費電力予測装置。
この適用例によれば、画像撮影装置により撮像された画像を用いて前記乗車人数を検知するので、座席に荷物を置いた場合にも、正確に乗車人数を検知することができる。【００１３】
[適用例５]
適用例２または３に記載の消費電力予測装置において、さらに、前記座席センサを用いて乗車位置を判断し、前記乗車位置に基づいて、各空調装置のオン・オフを制御する空調装置制御部を備える、消費電力予測装置。
この適用例によれば、車両の乗車位置に基づいて空調装置をオン・オフでき、このオン・オフに基づいて空調装置の動作数を検知することができる。【００１４】
[適用例６]
適用例１〜５のいずれか一つの適用例に記載の消費電力予測装置において、前記空調装置動作数検知部は、各空調装置のスイッチのオン・オフの数を用いて前記空調装置の動作数を検知する、消費電力予測装置。
この適用例によれば、前記空調装置の動作数を検知し、空調装置の消費電力を予測するので、車両の消費電力の予測精度を向上させることができる。【００１５】
[適用例７]
エンジンの動力によって駆動される発電機からの電力により充電可能なバッテリを備える車両の車両制御装置であって、適用例１〜６のいずれか一つの適用例に記載の消費電力予測装置と、前記エンジンのアイドリングストップ制御を行うアイドリングストップ制御部と、前記バッテリの蓄電状態（ＳＯＣ）を検出するＳＯＣ検出部と、前記車両の走行時に、前記消費電力予測装置により予測された前記空調装置の消費電力に基づいて、前記アイドリングストップ制御によるエンジン停止から再始動までのストップアンドスタート期間において使用すると予想されるアイドリングストップ用電力量を設定するアイドリングストップ用電力量設定部と、前記車両の走行時に、前記ＳＯＣ検出部によって検出されたＳＯＣと、前記使用可能なＳＯＣ範囲の下限値との差である残存電力量が、前記アイドリングストップ用の電力量を下回ることを回避するように、前記発電機の電力による前記バッテリの充電を制御するＳＯＣ制御部と、を備える車両制御装置。
この適用例によれば、前記車両の走行時に、前記ＳＯＣ検出部によって検出されたＳＯＣと、前記使用可能なＳＯＣ範囲の下限値との差である残存電力量が、前記アイドリングストップ用の電力量を下回ることを回避するように、前記発電機の電力による前記バッテリの充電が制御される。このため、ストップアンドスタート期間の途中でＳＯＣ不足からエンジンが再始動されることを抑制することができる。エンジンの運転時における動力増大によるＳＯＣの増加は、ストップアンドスタート期間の途中でＳＯＣ不足からエンジンを再始動する場合に比べて、単位ＳＯＣ（例えばＳＯＣ１％）当たりの燃費効果が高いことから、車両の燃費を向上させることができる。【００１６】
[適用例８]
適用例７に記載の車両制御装置であって、前記車両の走行状態から停止状態に減速されるときに、回生される回生電力量を予測する回生電力量予測を備え、前記ＳＯＣ制御部は、走行中の前記残存電力量に前記回生電力量を加えた電力量が、前記アイドリングストップ用の電力量を下回ることを回避するように、前記発電機の電力による前記バッテリの充電を制御する、車両制御装置。
この適用例によれば、回生により充電される電力量だけ残存電力量を小さくできるので、バッテリの寿命を長くすることができる。【００１７】
[適用例９]
適用例７または適用例８に記載の車両制御装置であって、前記電力量設定部は、停車を引き起こす車両の走行環境を予測する走行環境予測部を備え、前記走行環境に基づいて前記アイドリングストップ用電力量を決定する、車両制御装置。
この適用例によれば、ストップアンドスタート期間において使用すると予想されるアイドリングストップ用電力量を走行環境から高精度に推定することができる。したがって、燃費向上の確実性を高めることができる。
[適用例１０]
車両であって、エンジンと、前記エンジンの動力によって駆動される発電機の発電量によって充電可能なバッテリと、適用例７〜９のいずれか一つの適用例に記載の車両制御装置と、を備える、車両。【００１８】
[適用例１１]
車両で消費される消費電力を予測する消費電力予測方法であって、（ａ）車両の乗車人数を検知する工程と、（ｂ）前記車両の空調装置の動作数を検知する工程と、（ｃ）前記車両内の室温を検知する工程と、（ｄ）前記空調装置の設定温度を取得する工程と、（ｅ）前記乗車人数と、前記空調装置の動作数と、前記室温と、前記空調装置設定温度と、を用いて、前記空調装置の消費電力を予測する工程と、を備える消費電力予測方法。
[適用例１２]
エンジンと、前記エンジンの動力によって駆動される発電機の発電量によって充電可能なバッテリと、を有する車両を制御する車両制御方法であって、（ｆ）アイドリングストップ制御を行う工程と、（ｇ）前記バッテリの蓄電状態（ＳＯＣ）を検出する工程と、（ｈ）前記車両の走行時に、適用例１１に記載の工程（ａ）〜（ｅ）の結果を用いて、アイドリングストップ中に消費される電力量をアイドリングストップ用の電力量として予測する工程と、（ｉ）前記車両の走行時に、前記ＳＯＣ検出部によって検出されたＳＯＣと、前記使用可能なＳＯＣ範囲の下限値との差である残存電力量が、前記アイドリングストップ用の電力量を下回ることを回避するように、前記発電機の電力による前記バッテリの充電を制御する工程と、を備える車両制御方法。
適用例１０の車両、および適用例１２の車両制御方法によれば、適用例７〜９の車両制御装置と同様に、ストップアンドスタート期間の途中でＳＯＣ不足からエンジンが再始動されることを抑制することができ、車両の燃費を向上させることができる。【００１９】
なお、本発明は、種々の態様で実現することが可能である。例えば、適用例７〜９の車両制御装置を備える制御システム、適用例１１、１２の車両制御方法の各工程に対応する機能をコンピュータに実現させるためのコンピュータプログラム、そのコンピュータプログラムを記録した記録媒体等の形態で実現することができる。
【図面の簡単な説明】
【００２０】
【図１】本発明の一実施例としての自動車２００の構成を示す説明図である。
【図２】ＥＣＵ５０の構成を機能的に示す説明図である。
【図３】目標ＳＯＣ推定ルーチンを示すフローチャートである。
【図４】目標ＳＯＣを模式的に示す説明図である。
【図５】車内の室温と空調装置７４の設定温度との間の温度差に基づく自車両状態Ｐ２の補正フローチャートを示す説明図である。
【図６】乗車人員に基づく自車両状態Ｐ２の補正フローチャートを示す説明図である。
【図７】ＳＯＣ配分要求レベル算出用マップＭＰを示す説明図である。
【図８】目標ＳＯＣ値算出用テーブルＴＢを示す説明図である。
【図９】自動車の運転中における車速とＳＯＣについてのタイムチャートを示す説明図である。
【図１０】アイドリングストップ容量を大きくしたときの効果を示す説明図である。
【発明を実施するための形態】
【００２１】
次に、本発明の実施の形態を実施例に基づいて以下の順序で説明する。
Ａ．全体構成：
Ｂ．ＥＣＵの構成：
Ｃ．目標ＳＯＣ推定部の構成：
Ｄ．作用、効果：
Ｅ．変形例：
【００２２】
Ａ．全体構成：
図１は、本発明の一実施例としての自動車２００の構成を示す説明図である。自動車２００は、アイドリングストップ機能を搭載した車両である。自動車２００は、エンジン１０と、自動変速機１５と、ディファレンシャルギア２０と、駆動輪２５と、スタータ３０と、オルタネータ３５と、バッテリ４０と、電子制御ユニット（ＥＣＵ：Electrical Control Unit）５０とを備えている。
【００２３】
エンジン１０は、ガソリンや軽油などの燃料を燃焼させることによって動力を発生させる内燃機関である。エンジン１０の動力は、自動変速機１５に伝達されるとともに、駆動機構３４を介してオルタネータ３５に伝達される。エンジン１０の出力は、運転者により操作されるアクセルペダル（図示せず）の踏み込み量に応じて、エンジンコントロールコンピュータ（図示せず）により変更される。
【００２４】
自動変速機１５は、変速比の変更（いわゆるシフトチェンジ）を自動的に実行する。エンジン１０の動力（回転数・トルク）は、自動変速機１５によって変速され、所望の回転数・トルクとして、ディファレンシャルギア２０を介して、左右の駆動輪２５に伝達される。こうして、エンジン１０の動力は、アクセルペダルの踏み込み量に応じて変更されつつ、自動変速機１５を介して駆動輪２５に伝達されて、車両（自動車２００）の加速・減速が行なわれることになる。
【００２５】
オルタネータ３５にエンジン１０の動力を伝達する駆動機構３４は、本実施例では、ベルトドライブの構成を採用している。オルタネータ３５は、エンジン１０の動力の一部を用いて発電を行なう。発電された電力は、インバータ（図示せず）を介してバッテリ４０の充電に用いられる。本明細書では、オルタネータ３５を用いたエンジン１０の動力による発電を「燃料発電」と呼ぶ。オルタネータ３５は、［課題を解決するための手段］の欄に記載した「発電機」に相当する。なお、オルタネータ３５は、駆動機構３４、エンジン１０、自動変速機１５、ディファレンシャルギア２０を介して駆動輪２５と接続されている。減速時には、駆動輪２５の回転運動が、ディファレンシャルギア２０、自動変速機１５、エンジン１０、駆動機構３４を介してオルタネータ３５を駆動するため、車両の運動エネルギーを電気エネルギーとして回生することができる。
【００２６】
バッテリ４０は、電圧１４Ｖの直流電源としての鉛蓄電池であり、エンジン本体以外に設けられた周辺機器に電力を供給する。本明細書では、エンジン本体以外に設けられた周辺機器であって、バッテリ４０の電力を用いて動作する機器を、「補機」と呼ぶ。また、補機の集まりを、「補機類」と呼ぶ。自動車２００は、補機類７０として、ヘッドライト７２、空調装置（Ａ／Ｃ）７４等を備える。なお、本実施例では、空調装置７４にはフロント用空調装置７４ｆとリア用空調装置７４ｒの２つあり、それぞれ空調スイッチ７６により独立にオン・オフすることが可能である。なお、フロント用空調装置７４ｆ、リア用空調装置７４ｒを区別しない場合には、単に空調装置７４とも呼ぶ。また、フロント用空調装置７４ｆとリア用空調装置７４ｒに加えて、助手席用の空調装置を備えてもよい。この場合空調装置の数は３となる。なお、フロント用空調装置７４ｆがオンの場合には、後述する座席センサ９０等からの信号により、ＥＣＵ５０が空調スイッチ７６に対してリア用空調装置７４ｒのスイッチをオンさせるように構成しても良い。また、空調スイッチ７６は、各空調装置７４の設定温度（目標温度）を設定するためにも用いられる。請求項の空調装置の動作数は、このスイッチ７６によりオンとされる空調装置の数である。
【００２７】
スタータ３０は、バッテリ４０から供給される電力によってエンジン１０を始動させるセルモータである。通常は、停止している自動車の運転を開始する際に、運転者がイグニッションスイッチ（図示せず）を操作すると、スタータ３０が起動し、エンジン１０が始動する。このスタータ３０は、以下で説明するように、アイドリングストップ状態からエンジン１０を再始動させる場合にも利用される。本明細書では、「アイドリングストップ状態」とは、アイドリングストップ制御による停止状態をいう。
【００２８】
ＥＣＵ５０は、コンピュータプログラムを実行するＣＰＵ、コンピュータプログラム等を記憶するＲＯＭ、一時的にデータを記憶するＲＡＭ、各種センサやアクチュエータ等に接続される入出力ポート等を備える。ＥＣＵ５０に接続されるセンサとしては、駆動輪２５の回転速度を検出する車輪速センサ８２、ブレーキペダル（図示せず）の踏み込みの有無を検出するブレーキペダルセンサ８４、アクセルペダル（図示せず）の踏み込み量をアクセル開度として検出するアクセル開度センサ８６、バッテリ４０の充放電電流を検出するバッテリ電流センサ８８、およびオルタネータ３５の出力電流を検出するオルタネータ電流センサ８９、座席（シート）に座っているか否かを検知する座席センサ９２、シートベルトの脱着を検知するシートベルト脱着センサ９４、人認識センサとしてのカメラ９６、車内の室温を測定する車内室温センサ９８等が設けられている。座席センサ９２は、座席に人が座ったときの圧力を検知して、その座席に人が座っているかを判断する。シートベルト脱着センサ９４は、シートベルトのアンカーがバックルに差し込まれているか否かを判断する。カメラ９６は、座席に座っている人を撮影して、顔認識などにより、人を認識する。アクチュエータとしては、スタータ３０やオルタネータ３５等が該当する。ＥＣＵ５０は、バッテリ４０から電力の供給を受けている。
【００２９】
ＥＣＵ５０は、前記各種のセンサやエンジンコントロールコンピュータ（図示せず）からの信号をもとに、スタータ３０やオルタネータ３５を制御することによって、エンジン停止と再始動を制御（アイドリングストップ制御）するとともにバッテリ４０のＳＯＣ（Ｓｔａｔｅ  ｏｆ  Ｃｈａｒｇｅ）を制御する。ＳＯＣは、バッテリ４０の満充電時を１００％、バッテリが空の時を０％としたときのバッテリ４０の充電率で示される指標である。バッテリ４０は、満充電状態を維持すると自己放電により劣化し易いので、バッテリ４０は、ＳＯＣが一定の範囲内に収まるように充電制御されることが好ましい。このＥＣＵ５０が本発明に直接関わる車両制御装置である。
【００３０】
Ｂ．ＥＣＵの構成：
図２は、ＥＣＵ５０の構成を機能的に示す説明図である。図示するように、ＥＣＵ５０は、アイドリングストップ制御部９０と、ＳＯＣ値制御部１００とを備える。アイドリングストップ制御部９０およびＳＯＣ値制御部１００は、実際は、ＥＣＵ５０に備えられたＣＰＵが、ＲＯＭに記憶されたコンピュータプログラムを実行することで実現する機能を示す。
【００３１】
アイドリングストップ制御部９０は、車輪速センサ８２で検出された車輪速Ｖｈとアクセル開度センサ８６で検出されたアクセル開度Ｔｐとを取得し、エンジン１０を停止／始動させる指示Ｓｓをスタータ３０に出力する。詳しくは、アイドリングストップ制御部９０は、車輪速Ｖｈが低下して所定速度（例えば１０ｋｍ／ｈ）未満となったときに、エンジン停止条件が成立したとしてエンジン停止の指示Ｓｓをスタータ３０に出力し、その後、アクセル開度Ｔｐからアクセルペダルが踏み込まれたことが検出されたときに、エンジン再始動条件が成立したとしてエンジン再始動の指示Ｓｓをスタータ３０に出力する。
【００３２】
すなわち、アイドリングストップ制御部９０は、エンジン停止条件が成立したときにエンジン１０を停止させ、前記停止後においてエンジン再始動条件が成立したときにエンジン１０を再始動させる。前記エンジン停止条件およびエンジン再始動条件は、前述したものに限らない。例えば、車輪速Ｖｈが完全に０ｋｍ／ｈとなることをエンジン停止条件とすることもできるし、ブレーキペダルから足が離れたことをエンジン再始動条件とすることもできる。
【００３３】
ＳＯＣ値制御部１００は、目標ＳＯＣ値推定部１１０と、バッテリＳＯＣ値算出部１２０と、フィードバック制御部１３０とを備える。目標ＳＯＣ値推定部１１０は、車両の走行時（例えば、車輪速Ｖｈ＞０ｋｍ／ｈの時）に、アイドリングストップ制御によるエンジン停止から再始動までの期間（以下、「ストップアンドスタート期間」と呼ぶ）において使用すると予想されるＳＯＣを、目標ＳＯＣ（以下、「目標ＳＯＣ値」とも呼ぶ）Ｃ１として推定するもので、詳しい構成についてはＣ節で説明する。なお、この目標ＳＯＣ値推定部１１０が［課題を解決するための手段］の欄に記載した「電力量設定部」に相当する。「ＳＯＣ」は、バッテリに残存している電気量を、バッテリを満充電したときに蓄えられる電気量で除した値として定義される。
【００３４】
バッテリＳＯＣ値算出部１２０は、バッテリ電流センサ８８によって検出されたバッテリ４０の充放電電流（「バッテリ電流」と呼ぶ）Ａｂに基づいて、バッテリ４０の現在のＳＯＣ（以下、「現在ＳＯＣ値」と呼ぶ）Ｃ２を算出する。詳しくは、バッテリ４０の充電電流をプラス値とし、バッテリ４０の放電電流をマイナス値として充放電電流Ａｂを積算することで、現在ＳＯＣ値Ｃ２を算出する。バッテリ電流センサ８８およびバッテリＳＯＣ値算出部１２０の構成が、［課題を解決するための手段］の欄に記載した「ＳＯＣ検出部」に相当する。なお、ＳＯＣ検出部は、バッテリ電流センサ８８によって検出されたバッテリ電流に基づいて算出するものに限る必要はなく、バッテリ電解液比重センサ、セル電圧センサ、バッテリ端子電圧センサ等に基づいて求める構成としてもよい。さらに、ＳＯＣ検出部は、バッテリに残存している電気量を検出する構成に限る必要もなく、例えば充電可能量等の他のパラメータで蓄電状態を検出するものとすることもできる。
【００３５】
フィードバック制御部１３０は、車両の走行時に、目標ＳＯＣ値Ｃ１から現在ＳＯＣ値Ｃ２を差し引いた差分値を求め、その差分値を値０にフィードバック制御で一致させる電圧指示値Ｓｖを求める。その電圧指示値Ｓｖはオルタネータ３５の発電量を指示するもので、オルタネータ３５に送られる。この結果、燃料発電によって現在ＳＯＣ値Ｃ２が目標ＳＯＣ値Ｃ１に制御される。フィードバック制御部１３０の構成が、［課題を解決するための手段］の欄に記載した「残存容量制御部」に相当する。
【００３６】
ＳＯＣ値制御部１００には、図示はしないが、上記以外に、「バッテリ制御」と呼ばれる機能と、「充電制御」と呼ばれる機能が設けられている。バッテリ制御について説明する。バッテリ、特に本実施例の鉛バッテリは、長寿命化の要請から、使用可能なＳＯＣ範囲（運用するＳＯＣ範囲）が予め定められている。このため、このＳＯＣ範囲の下限値（例えば６０％）をバッテリ４０のＳＯＣが下回るときにエンジン１０の動力を増大してＳＯＣを前記ＳＯＣ範囲内とし、ＳＯＣ範囲の上限値（例えば９０％）をＳＯＣが上回るときにＳＯＣを消費して前記ＳＯＣ範囲内とする「バッテリ制御」が行われる。アイドリングストップ制御によるエンジンの停止時においてもＳＯＣが下限値を下回ると、エンジンが始動して燃料発電によってＳＯＣを前記ＳＯＣ範囲内とする。
【００３７】
「充電制御」は、通常走行中に燃料発電によるバッテリへの充電を抑えることで燃料消費量を節約し、減速走行中に回生発電によりバッテリへの充電を行なう制御処理である。充電制御については周知の構成であることから、詳しく説明しないが、概ね次の処理を行う。充電制御においては、通常走行時におけるフィードバック制御部１３０によるフィードバック制御を、目標ＳＯＣ値Ｃ１が現在ＳＯＣ値Ｃ２を上回るときに実行し、通常走行時に目標ＳＯＣ値Ｃ１が現在ＳＯＣ値Ｃ２以下であるときには、所定の発電カット電圧をオルタネータ３５への電圧指示値Ｓｖとする。この構成により、通常走行時における充電を抑制し燃料消費量を節約することができる。なお、「通常走行」とは、車速が０ｋｍ／ｈである「停車」、および前記回生発電が行われる「減速走行」のいずれにも該当しない自動車２００の状態である。
【００３８】
Ｃ．目標ＳＯＣ推定部の構成：
目標ＳＯＣ値推定部１１０は、走行環境予測部１１２と、自車両状態予測部１１４と、ＳＯＣ配分要求レベル算出部１１６と、目標ＳＯＣ値算出部１１８とを備える。
【００３９】
走行環境予測部１１２は走行環境を予測する。ここでいう「走行環境」とは、今後（現在以後）どれくらいアイドリングストップ状態となるかを示すパラメータであり、今後の所定期間におけるストップアンドスタート期間の割合に関わるパラメータとも言える。すなわち、「走行環境」は、アイドリングストップ制御による停車を引き起こす車両の走行環境である。走行環境予測部１１２は、詳しくは、車輪速センサ８２によって検出された車輪速Ｖｈに基づいて、走行環境を指数で示す走行環境指数を算出する。具体的には、現在から遡る所定期間（例えば１０分間）における停車時間の比率Ｒを車輪速Ｖｈに基づいて算出し、その比率から走行環境指数Ｐ１を算出する。すなわち、所定期間において車輪速Ｖｈが値０となる停車時間の合計を求め、その合計を所定期間の全時間で割り算することで比率Ｒを算出し、その比率Ｒから走行環境指数Ｐ１を算出する。
【００４０】
比率Ｒが高いということは、前記車両の停止頻度と停止期間の長さが高いということであり、今後の車両の停止頻度と長さも高いと予測することができる。このため、本実施例では、下記に従って走行環境指数Ｐ１を決定する。
・１０分間停止時間比率Ｒ＜３８％のとき、走行環境指数Ｐ１を値１とする。
・３８％≦１０分間停止時間比率Ｒ＜４２％のとき、走行環境指数Ｐ１を値２とする。
・４２％≦１０分間停止時間比率Ｒ＜４６％のとき、走行環境指数Ｐ１を値３とする。
・１０分間停止時間比率Ｒ≧４６％のとき、走行環境指数Ｐ１を値４とする。
【００４１】
前記３８％、４２％、４６％という閾値は一例であり、これらに限らず、別の数値とすることができる。また、求める走行環境指数Ｐ１は１〜４までの４つに限らず、３つ、５つ、６つ等の他の数とすることもできる。なお、走行環境指数Ｐ１が低い場合は郊外であり、走行環境指数Ｐ１が高い場合は市街地であると言えることから、走行環境指数Ｐ１の値が高いほど、市街化度が高いといえる。
【００４２】
本実施例では、走行環境指数Ｐ１を車輪速センサ８２によって検出された車輪速Ｖｈに基づいて求めていたが、本発明ではこれに限られない。例えば、車速センサによって検出された車速の平均値、車輪速センサ８２によって検出された車輪速Ｖｈの変化率（すなわち加速度）、ＭＴ（Manual Transmission）車の場合手動変速機のシフトポジション、またはＡＴ（Automatic Transmission）車の場合の自動変速機のギヤ比等に基づいて求める構成としてもよい。すなわち、車速の平均値が低いほど市街化度が高くなることから、車速の平均値が低いほど走行環境指数Ｐ１を高い値とすればよい。車輪速Ｖｈの変化率が高いほど市街化度が高くなることから、車輪速Ｖｈの変化率が高いほど走行環境指数Ｐ１を高い値とすればよい。手動変速機のシフトポジションが頻繁に行われるほど市街化度が高くなることから、手動変速機のシフトポジションが頻繁に行われるほど走行環境指数Ｐ１を高い値とすればよい。自動変速機のギヤ比等が頻繁に切り換わるほど市街化度が高くなることから、自動変速機のギヤ比等が頻繁に切り換わるほど走行環境指数Ｐ１を高い値とすればよい。
【００４３】
なお、前記車輪速Ｖｈと車輪速Ｖｈに替わる各パラメータは、それらの中から選択した１つに基づいて走行環境指数Ｐ１を求める構成に限る必要もなく、２つ以上のパラメータに基づいて走行環境指数Ｐ１を求める構成としてもよい。２つ以上のパラメータを採用する場合、各パラメータに個別の重み付け指数を掛けて走行環境指数Ｐ１を求める構成とすることが好ましい。なお、前述した車輪速Ｖｈと車輪速Ｖｈに替わる各パラメータを採用することで、自動車２００という自律系のみで走行環境を予測することができる。これに対して、自律系の外側から取得する情報に基づいて、走行環境指数Ｐ１を求める構成としてもよい。自律系の外側から取得する情報としては、ナビゲーションシステムの道路地図情報等がある。ナビゲーションシステムの道路地図情報に基づいて今後の走行地位置が市街地か郊外かを見極めて、走行環境指数Ｐ１を求めることができる。また、ＶＩＣＳ（Vehicle Information and communication System：ＶＩＣＳは登録商標）のような、渋滞や交通規制などの道路交通情報をリアルタイムに受信し、カーナビゲーションなどの車載機に文字・図形で表示する画期的な情報通信システムを備えている車両にあっては、情報通信システムで受信した渋滞や交通規制などの道路交通情報のデータに基づいて走行環境指数Ｐ１を決定してもよい。
【００４４】
自車両状態予測部１１４は、自動車２００の状態（自車両状態）を予測する。ここでいう「自車両状態」とは、自動車２００が今後どの程度ＳＯＣを消費するかを表すパラメータである。詳しくは、自車両状態予測部１１４は、バッテリ電流センサ８８によって検出されたバッテリ電流Ａｂと、オルタネータ電流センサ８９によって検出されたオルタネータ電流Ａａとに基づいて、補機類７０で費やす電力量を算出し、その電力量を自車両状態Ｐ２として出力する。補機類７０で費やす電力量が大きいときにはＳＯＣを消費する速度は早いことから、本実施例では、自車両状態予測部１１４は、補機類７０で費やす電力量を自車両状態Ｐ２として求める。
【００４５】
なお、自車両状態Ｐ２を、補機類７０で費やす電力量に基づいて求めていたが、本発明ではこれに限られない。例えば、空調装置（Ａ／Ｃ）の消費電力と対応関係がある空調情報（例えば、目標温度と車内温度との差）や、エンジン水温と周囲温度との差などのエンジンの暖機状況を示す情報等に基づいて求める構成とすることができる。なお、補機類７０で費やす電力量や空調情報や暖機状況情報等の中から選択した１つのパラメータに基づいて自車両状態Ｐ２を求める構成に限る必要もなく、２つ以上のパラメータに基づいて自車両状態Ｐ２を求める構成としてもよい。２つ以上のパラメータを採用する場合、各パラメータに個別の重み付け指数を掛けて自車両状態Ｐ２を求める構成とすることが好ましい。
【００４６】
さらに、前述した各例は、現在検出されるセンサ信号によって補機類の現在の動作状況を求め、その現在の動作状況を今後の自車両状態と見なすものであったが、これに替えて、上記のように求めた現在の動作状況から動作状況が変化する兆候を捕らえることで、今後の自車両状態を予測する構成としてもよい。
【００４７】
前記構成の走行環境予測部１１２および自車両状態予測部１１４は、自動車２００の運転が開始された以後、常にその予測を行っている。各部１２２〜１２４は、実際は、ＥＣＵ５０に備えられたＣＰＵが、ＲＯＭに記憶されたコンピュータプログラムを実行することで実現する。走行環境予測部１１２によって算出した走行環境指数Ｐ１と、自車両状態予測部１１４によって算出した自車両状態Ｐ２とは、ＳＯＣ配分要求レベル算出部１１６に送られる。
【００４８】
ＳＯＣ配分要求レベル算出部１１６は走行環境指数Ｐ１および自車両状態Ｐ２に基づいてＳＯＣ配分要求レベルＰ３を算出し、目標ＳＯＣ値算出部１１８はＳＯＣ配分要求レベルＰ３に基づいて目標ＳＯＣ値Ｃ１を算出する。以下、ＳＯＣ配分要求レベル算出部１１６および目標ＳＯＣ値算出部１１８の内容を、以下に詳述する。
【００４９】
図３は、目標ＳＯＣ推定ルーチンを示すフローチャートである。この目標ＳＯＣ推定ルーチンは、車両の走行時に所定時間（例えば、６０ｓｅｃ）毎に繰り返し実行される。すなわち、目標ＳＯＣ推定ルーチンは、アイドリングストップ制御によるエンジン１０の停止時には実行されない。図示するように、処理が開始されると、ＥＣＵ５０のＣＰＵは、走行環境予測部１１２（図２）によって求められた走行環境指数Ｐ１を取得する（ステップＳ１００）とともに、自車両状態予測部１１４（図２）によって求められた自車両状態Ｐ２を取得する（ステップＳ２００）。
【００５０】
図４は、目標ＳＯＣを模式的に示す説明図である。目標ＳＯＣは、ＳＯＣ下限にアイドリングストップ容量を加えた値である。アイドリングストップ容量は、車両が停止し、エンジンを停止してアイドリングストップ状態になった後、エンジンを再始動して車両が発進するまでの間に、車両で消費される電気容量である。一般的には、アイドリングストップ中では、空調装置７４が電気容量の主な消費先である。アイドリングストップ中にバッテリ４０の充電量がＳＯＣ下限を下回ると、ＥＣＵ５０はエンジン１０を始動し、アイドリング状態でバッテリ４０に充電を行う。したがって、アイドリングストップ中にバッテリ４０の充電量がＳＯＣ下限を下回らないようなアイドリングストップ容量を有することが好ましい。ここで、車両に乗車している人は、熱源であり、多人数が乗車している場合には、電気の消費量が多くなる。また、車内の室温と、空調装置７４の設定温度との間の温度差が大きい場合にも、電気の消費量が多くなる。したがって、車内の室温と、空調装置７４の設定温度との間の温度差や、車両の乗車人数により、自車両状態Ｐ２を補正することが好ましい。
【００５１】
図５は、車内の室温と、空調装置７４の設定温度との間の温度差に基づく自車両状態Ｐ２の補正フローチャートを示す説明図である。ステップＳ２０００では、ＥＣＵ５０は、室温と空調装置７４の設定温度との差が、判定値ＴＨ１よりも大きいか否かを判断する。室温と空調装置７４の設定温度との差が判定値ＴＨ１よりも大きい場合には、ＥＣＵ５０は、処理をステップＳ２０１０に移行し、空調装置７４で消費される電流が増大すると予測し、自車車両状態Ｐ２を上げる（ステップＳ２０２０）。一方、室温と空調装置７４の設定温度との差が判定値ＴＨ１よりも大きくない場合には、ＥＣＵ５０は、処理をステップＳ２０３０に移行し、室温と空調装置７４の設定温度との差が判定値ＴＨ２（ＴＨ２＜ＴＨ１）以下か否かを判断する。室温と空調装置７４の設定温度との差が判定値ＴＨ２以下の場合には、ＥＣＵ５０は、処理をステップＳ２０４０に移行し、空調装置７４で消費される電流は変わらない（維持される）と予測し自車車両状態Ｐ２を維持する（ステップＳ２０５０）。一方、室温と空調装置７４の設定温度との差が判定値ＴＨ２以下でない場合には、ＥＣＵ５０は、処理をステップＳ２０６０に移行し、空調装置７４で消費される電流は減少すると予測し自車車両状態Ｐ２を下げる（ステップＳ２０７０）。
【００５２】
図６は、乗車人員に基づく自車両状態Ｐ２の補正フローチャートを示す説明図である。ステップＳ２１００では、ＥＣＵ５０は、リアシート（後部座席）に乗員がいるか否かを判断する。ＥＣＵ５０は、リアシートの座席センサ９０からの信号に基づいて、この判断を行うことが出来る。また、リアシートのシートベルト着脱センサ９４からの信号に基づいても、この判断を行うことができる。また、ＥＣＵ５０は、カメラ９６の画像を用いて人認識を行ってこの判断を行ってもよい。
【００５３】
リアシート（後部座席）に乗員がいない場合には、ＥＣＵ５０は、処理をステップＳ２１１０に移行して、空調装置７４の消費電流が維持されると予測し、自車車両状態Ｐ２を維持する（ステップＳ２１２０）。一方、リアシート（後部座席）に乗員がいる場合、ＥＣＵ５０は、処理をステップＳ２１３０に移行して、リア用空調装置７４ｒのスイッチがオンか否かを判断する。リア用空調装置７４ｒのスイッチがオンの場合には、ＥＣＵ５０は、処理をステップＳ２１４０に移行し、空調装置７４（フロント用空調装置７４ｆ＋リア用空調装置７４ｒ）の消費電流が増大すると予測し、自車車両状態Ｐ２を上げる（ステップＳ２１５０）。一方、リア用空調装置７４ｒのスイッチがオンでない場合（オフの場合）には、ＥＣＵ５０は、処理をステップＳ２１６０に移行し、空調装置７４の消費電流が増えない（維持される）と予測し、自車車両状態Ｐ２を維持する（ステップＳ２１７０）。
【００５４】
なお、図５、６においては、空調装置７４が１つも動作しない場合も考えられる。係る場合には、ＥＣＵ５０は、図５、６に示すフローチャートを実行しなくても良い。この場合、空調装置７４での電力消費が行われないので、自車両状態Ｐ２は小さくなるように補正される。
【００５５】
図３に戻り、説明を続ける。ステップＳ２００の実行後、ＣＰＵは、ＳＯＣ配分要求レベル算出用マップＭＰを用いて、走行環境指数Ｐ１と自車両状態Ｐ２に基づいてＳＯＣ配分要求レベルを算出する処理を行う（ステップＳ３００）。バッテリには、先に説明したように、使用可能なＳＯＣ範囲がバッテリの種類毎に定められている。本実施例では、使用可能ＳＯＣ範囲をアイドリングストップ用と充電制御用とに配分することを図っており、「ＳＯＣ配分要求レベル」は前記配分のレベルを指定するパラメータである。
【００５６】
図７は、ＳＯＣ配分要求レベル算出用マップＭＰを示す説明図である。図示するように、ＳＯＣ配分要求レベル算出用マップＭＰは、横軸に走行環境指数Ｐ１をとり、縦軸に自車両状態Ｐ２をとり、横軸の値と縦軸の値とに対応するＳＯＣ配分要求レベルＰ３をマッピングしたマップデータである。走行環境指数Ｐ１と、自車両状態Ｐ２と、ＳＯＣ配分要求レベルＰ３との関係を、予め実験的にあるいはシミュレーションにより求めることで、ＳＯＣ配分要求レベル算出用マップＭＰは作成されており、ＲＯＭに記憶している。ステップＳ３００では、ＲＯＭからＳＯＣ配分要求レベル算出用マップＭＰを呼び出し、そのマップＭＰを参照して、ステップＳ１００で求めた走行環境指数Ｐ１とステップＳ２００で求めた自車両状態Ｐ２とに対応するＳＯＣ配分要求レベルＰ３を取得する。図示の例では、ＳＯＣ配分要求レベルＰ３としてＡ、Ｂ、Ｃ、Ｄの４つの値が用意されている。Ａ、Ｂ、Ｃ、Ｄはこの順で高い値となっている。走行環境指数Ｐ１が高いほど、自車両状態Ｐ２が高いほど、ＳＯＣ配分要求レベルＰ３は高い値となる。
【００５７】
図３に戻って、ステップＳ３００の実行後、ＣＰＵは、目標ＳＯＣ値算出用テーブルＴＢを用いて、ＳＯＣ配分要求レベルＰ３に基づいて目標ＳＯＣ値Ｃ１を算出する処理を行う（ステップＳ４００）。
【００５８】
図８は、目標ＳＯＣ値算出用テーブルＴＢを示す説明図である。図示するように、目標ＳＯＣ値算出用テーブルＴＢは、横軸にＳＯＣ配分要求レベルＰ３をとり、縦軸に目標ＳＯＣ値Ｃ１をとり、直線ＬでＳＯＣ配分要求レベルＰ３と目標ＳＯＣ値Ｃ１の関係を示している。このＳＯＣ配分要求レベルＰ３と目標ＳＯＣ値Ｃ１の関係を、予め実験的にあるいはシミュレーションにより求めることで、目標ＳＯＣ値算出用テーブルＴＢは作成されており、ＲＯＭに記憶している。ステップＳ４００は、ＲＯＭから目標ＳＯＣ値算出用テーブルＴＢを呼び出し、そのテーブルＴＢを参照して、ステップＳ３００で算出したＳＯＣ配分要求レベルＰ３に対応する目標ＳＯＣ値Ｃ１を取得する。
【００５９】
図示するように、直線Ｌで示される目標ＳＯＣ値Ｃ１は、バッテリ４０の使用可能ＳＯＣ範囲Ｗ内に設定される値であり、その使用可能ＳＯＣ範囲Ｗをカット可能な発電容量とアイドリングストップ用電力量とに配分したときの配分率を示す。換言すれば、バッテリ４０の使用可能ＳＯＣ範囲Ｗに対して、アイドリングストップ用電力量の領域が下側に、カット可能な発電容量の領域が上側にそれぞれ設定されており、両領域の境が目標ＳＯＣ値Ｃ１となっている。また、使用可能ＳＯＣ範囲Ｗの下限値にアイドリングストップ用電力量を加えた水準が目標ＳＯＣ値Ｃ１として設定されているとも言える。ＥＣＵ５０は、カット可能な発電容量だけオルタネータ３５の発電量を抑えても、アイドリングストップ中にバッテリ４０の充電量がＳＯＣ下限値を下回ることはなく、アイドリング開始によるエンジン１０の再始動を抑制し、燃料消費を抑制できる。
【００６０】
カット可能な発電容量は、前述した充電制御により、発電抑制により削減可能な電力量であり、「充電制御用容量」とも呼ぶ。アイドリングストップ用電力量は、今後のストップアンドスタート期間において使用されると予想される容量である。本実施例では、アイドリングストップ用電力量は、予想される最大の大きさに定められている。ＳＯＣ配分要求レベルＰ３が高い値になるほど、アイドリングストップ用電力量は大きくなっている。直線Ｌよりも上側にＳＯＣを制御したとき、そのＳＯＣに対応する使用可能ＳＯＣ範囲内の残存容量がアイドリングストップ用電力量を上回ることからアイドリングストップ制御を完全に実施できるといえるが、その上回る分だけ余剰である。このため、直線Ｌで示される目標ＳＯＣ値Ｃ１は、今後アイドリングストップ制御を完全に実施でき、かつＳＯＣ貯蔵のための発電量を最小にできるＳＯＣを示しているといえる。なお、この余剰を少なくした方が、バッテリ４０の劣化をより抑制し、より寿命を長くすることができる。
【００６１】
目標ＳＯＣ値Ｃ１は、直線Ｌに示すように、ＳＯＣ配分要求レベルＰ３の上昇に従ってリニアに増大するものであったが、本発明ではこれに限られない。例えば、ＳＯＣ配分要求レベルＰ３が所定値以下のときにはＳＯＣ配分要求レベルＰ３の上昇に従ってリニアに増大し、ＳＯＣ配分要求レベルＰ３が所定値を上回るときには一定値を維持するように、目標ＳＯＣ値Ｃ１を定めた構成としてもよい。この構成は、使用可能ＳＯＣ範囲が比較的小さいバッテリの場合に有効である。さらに、目標ＳＯＣ値Ｃ１の変化を直線で示す構成に換えて、曲線で示す構成とすることもできる。
【００６２】
図３に戻って、ステップＳ４００の実行後、ＣＰＵは、ステップＳ４００で算出した目標ＳＯＣ値Ｃ１をフィードバック制御部１３０に出力し（ステップＳ５００）、その後、目標ＳＯＣ推定ルーチンを一旦終了する。フィードバック制御部１３０（図２）では、現在ＳＯＣ値Ｃ２が前記算出された目標ＳＯＣ値Ｃ１に制御される。現在ＳＯＣ値Ｃ２は、バッテリ４０の使用可能ＳＯＣ範囲における残存容量を指し示すが、上記制御の結果、車両走行中に、残存容量はアイドリングストップ用電力量を下回ることを回避することができる。すなわち、図８において、現在ＳＯＣ値が充電制御用容量の領域に位置するとき、すなわち、前記残存容量がアイドリングストップ用電力量を上回るときには、ＥＣＵ５０は、充電制御を実行して、オルタネータ３５を駆動させず、バッテリ４０への充電を抑制する。この場合、オルタネータ３５を駆動するためのトルクが不要となるため、エンジン１０の燃料消費を抑えることができる。そして、ＳＯＣが低下してアイドリングストップ用電力量を下回ろうとするとき、燃料発電によって、直線Ｌで示される目標ＳＯＣ値Ｃ１にＳＯＣは制御されることで、前記アイドリングストップ用電力量を下回ろうとすることが回避される。
【００６３】
Ｄ．作用、効果：
図９は、自動車２００の運転中における車速とバッテリ４０のＳＯＣ（現在ＳＯＣ値Ｃ２）についてのタイムチャートを示す説明図である。タイムチャートは、縦軸に車速とＳＯＣをとり、横軸に時間をとったものである。自動車２００の運転が開始され、時刻ｔ０において自動車２００が発進すると、車速は次第に増し、通常走行に至る。その後、時刻ｔ１において、車両が減速状態に移行する。この時刻ｔ０から時刻ｔ１までのｔ０−ｔ１期間においては、実線に示すように、ＳＯＣは徐々に低下する。この実線は従来例についてのもので、本実施例では２点鎖線のように変化する。これについては後述する。
【００６４】
時刻ｔ１の後、時刻ｔ２において車両は停止する。ｔ１−ｔ２の期間では、減速による回生発電がなされ、実線に示すようにＳＯＣは徐々に上昇する。時刻ｔ２（厳密に言えばエンジン停止条件が成立したとき）から車速が立ち上がる時刻ｔ３までの期間がストップアンドスタート期間ＳＳＴであり、エンジン１０は停止されている。ストップアンドスタート期間ＳＳＴでは、補機類による電力消費によってＳＯＣは徐々に下降する。従来例では、実線に示すように、この停止の最中にＳＯＣが下限値ＳＬに達すると（時刻ｔｂ）、バッテリ制御によってエンジン１０は再始動することになる。再始動後、実線に示すように、エンジン１０の動力により発電されＳＯＣは増大する。
【００６５】
本実施例では、通常走行時にＳＯＣが低下して、バッテリ４０の使用可能ＳＯＣ範囲における残存容量がアイドリングストップ用電力量を下回ったときに（時刻ｔａ）、燃料発電によってＳＯＣが増大される。図中２点鎖線に示すようにｔａ−ｔ２期間においてＳＯＣは増大する。この増大は、今後のストップアンドスタート期間に使用すると予想される最大の電池容量を考慮したものであることから、ストップアンドスタート期間ｔ２−ｔ３においてＳＯＣが低下しても、ＳＯＣは下限値ＳＬに至ることがない。なお、「今後のストップアンドスタート期間」とは、図示の一つのストップアンドスタート期間ＳＳＴに限るものではなく、所定の期間において複数のストップアンドスタート期間があれば、それらストップアンドスタート期間の全部である。
【００６６】
したがって、本実施例では、従来例のように、ストップアンドスタート期間ｔ２−ｔ３において、ＳＯＣが下限値に達してエンジン１０が再始動されることがない。ストップアンドスタート期間の途中でＳＯＣ不足からエンジンを再始動する場合は、エンジンの運転時に動力増大してＳＯＣを増加する場合に比べて、３倍から５倍近くの燃料量が必要である。すなわち、エンジンの運転時における単位ＳＯＣ（例えばＳＯＣ１％）当たりの燃費効果は、ストップアンドスタート期間の途中でＳＯＣ不足からエンジンを再始動する場合に比べて、３倍から５倍優れている。したがって、本実施例の自動車２００は、従来例に比べて燃費を向上させることができる。
【００６７】
図１０は、アイドリングストップ容量を大きくしたときの効果を示す説明図である。走行時においては、発電カットを実行した場合、オルタネータ３５（図１）を駆動するトルク分の燃料消費量（図１０では、発電トルク分消費量）の燃料消費を削減出来るが、空調装置７４の駆動は、エンジンも行うため、空調装置７４を駆動するトルクに関する燃料消費量（図１０ではＡ／Ｃトルク分消費量）を減らすことができない。これに対し、アイドリングストップを実行すると、アイドリングストップ中では、エンジン１０が回転しないため、エンジン１０を回転させるに必要な燃料消費量（アイドリング消費量）に加えて、オルタネータ３５を駆動するトルク分の燃料消費量（発電トルク分消費量）、空調装置７４を駆動するトルクに関する燃料消費量（Ａ／Ｃトルク分消費量）も削減することができる。したがって、アイドリングストップ容量をある程度大きくした方が、車両の燃料消費を下げることが出来る。
【００６８】
Ｅ．変形例：
なお、この発明は上記の実施例や実施形態に限られるものではなく、その要旨を逸脱しない範囲において種々の態様において実施することが可能であり、例えば次のような変形も可能である。
【００６９】
・変形例１：
上記実施例では、ＳＯＣ配分要求レベルＰ３を走行環境指数Ｐ１および自車両状態Ｐ２に基づいて求めていたが、これに換えて、自動車２００のインストルメントパネル（図示せず）に運転者により操作されるダイヤルを設け、そのダイヤルの操作量に応じてＳＯＣ配分要求レベルＰ３を求める構成としてもよい。運転者は、例えば郊外から市街地に入るような場合に、ダイヤルを「高」側に切り換えてＳＯＣ配分要求レベルＰ３が大きくなるように設定することで、目標ＳＯＣ、すなわち、アイドリングストップ用の配分率を大きくすることができる。この構成によれば、運転者が、これから進む地域を判っていてＳＯＣ配分要求レベルを設定することが可能な場合に、ストップアンドスタート期間において使用する最大ＳＯＣを走行環境から高精度に設定することができる。なお、ダイヤルは「高」と「低」の２段階を指示できるものであってもよいし、３以上の多段で指示できるものであってもよい。また、ダイヤルはスイッチ等の他の入力手段に替えることもできる。さらに、ダイヤルの操作量だけでＳＯＣ配分要求レベルＰ３を求めるのではなく、前記実施例で走行環境指数Ｐ１と自車両状態Ｐ２から求めたＳＯＣ配分要求レベルＰ３を、前記ダイヤルの操作量に基づいて補正する構成とすることもできる。
【００７０】
・変形例２：
上記実施例では、走行環境指数Ｐ１と自車両状態Ｐ２に基づいてＳＯＣ配分要求レベルＰ３を一旦求め、ＳＯＣ配分要求レベルＰ３に基づいて目標ＳＯＣを算出する構成であったが、これに換えて、走行環境指数Ｐ１と自車両状態Ｐ２に基づいて、目標ＳＯＣを直接、算出する構成としてもよい。すなわち、走行環境指数Ｐ１と自車両状態Ｐ２に基づいて、バッテリの使用可能ＳＯＣ範囲を充電制御用とアイドリングストップ用とを配分する配分率を直接算出する構成としてもよい。同様に上記変形例１においても、ダイヤルの操作量に基づいて目標ＳＯＣを直接、算出する構成としてもよい。
【００７１】
・変形例３：
上記実施例では、ＳＯＣ配分要求レベルは、走行環境指数Ｐ１と自車両状態Ｐの両方に基づいて算出していたが、これに換えて、走行環境指数Ｐ１と自車両状態Ｐのいずれか一方に基づいて算出する構成としてもよい。
【００７２】
・変形例４：
上記実施例では、バッテリは鉛蓄電池としたが、本発明ではこれに限られない。例えば、リチウムイオン蓄電池、ロッキングチェア型蓄電体等の他の種類のバッテリに替えることもできる。また、上記実施例では、車両は自動車であったが、これに換えて、電車等の自動車以外の車両としてもよい。
【００７３】
・変形例５：
上記実施例においてソフトウェアで実現されている機能の一部をハードウェア（例えば集積回路）で実現してもよく、あるいは、ハードウェアで実現されている機能の一部をソフトウェアで実現してもよい。
【００７４】
・変形例６：
なお、前述した実施例および各変形例における構成要素の中の、独立請求項で記載された要素以外の要素は、付加的な要素であり、適宜省略可能である。例えば、通常走行中はバッテリへの充電を抑えることで燃料消費量を節約し、減速走行中に回生発電によりバッテリへの充電を行なう充電制御についても省略することができる。
【００７５】
以上、いくつかの実施例に基づいて本発明の実施の形態について説明してきたが、上記した発明の実施の形態は、本発明の理解を容易にするためのものであり、本発明を限定するものではない。本発明は、その趣旨並びに特許請求の範囲を逸脱することなく、変更、改良され得るとともに、本発明にはその等価物が含まれることはもちろんである。
【符号の説明】
【００７６】
１０…エンジン
１５…自動変速機
２０…ディファレンシャルギア
２５…駆動輪
３０…スタータ
３４…駆動機構
３５…オルタネータ
４０…バッテリ
５０…ＥＣＵ
７０…補機類
７２…ヘッドライト
７４…空調装置
７４ｆ…フロント用空調装置
７４ｒ…リア用空調装置
７６…空調スイッチ
８２…車輪速センサ
８４…ブレーキペダルセンサ
８６…アクセル開度センサ
８８…バッテリ電流センサ
８９…オルタネータ電流センサ
９０…アイドリングストップ制御部
９２…座席センサ
９４…シートベルト脱着センサ
９６…カメラ
９８…車内室温センサ
１００…ＳＯＣ値制御部
１１０…目標ＳＯＣ値推定部
１１２…走行環境予測部
１１４…自車両状態予測部
１１６…ＳＯＣ配分要求レベル算出部
１１８…目標ＳＯＣ値算出部
１２０…バッテリＳＯＣ値算出部
１３０…フィードバック制御部
２００…自動車
【図１】
2013088464.tif 000003
【図２】
2013088464.tif 000004
【図３】
2013088464.tif 000005
【図４】
2013088464.tif 000006
【図５】
2013088464.tif 000007
【図６】
2013088464.tif 000008
【図７】
2013088464.tif 000009
【図８】
2013088464.tif 000010
【図９】
2013088464.tif 000011
【図１０】
2013088464.tif 000012
【手続補正書】
【提出日】平成24年6月29日(2012.6.29)
【手続補正１】
【補正対象書類名】特許請求の範囲
【補正対象項目名】全文
【補正方法】変更
【補正の内容】
【特許請求の範囲】
【請求項１】
エンジンと、前記エンジンの動力によって駆動される発電機からの電力により充電可能なバッテリと、前記バッテリの電力を用いて動作可能な２以上の空調装置と、を備えた車両で消費される消費電力を予測する消費電力予測装置であって、
車両の乗車人数を検知する乗車人数検知部と、
前記車両の空調装置の動作数を検知する空調装置動作数検知部と、
前記車両の乗車室内の室温を検知する室温検知部と、
前記各空調装置の設定温度を取得する空調装置設定温度取得部と、
前記乗車人数と、前記空調装置の動作数と、前記室温と、前記空調装置設定温度と、を用いて、前記エンジンのアイドリングストップ中の前記空調装置の消費電力を、前記アイドリングストップが発生する前の前記車両の走行中に予測する消費電力予測部と、
を備える消費電力予測装置。
【請求項２】
請求項１に記載の消費電力予測装置において、
前記乗車人数検知部は、車両の座席に設けられた座席センサを用いて前記乗車人数を検知する、消費電力予測装置。
【請求項３】
請求項２に記載の消費電力予測装置において、
前記座席センサは、前記座席に備え付けられたシートベルトの着脱センサである、消費電力予測装置。
【請求項４】
請求項１に記載の消費電力予測装置において、
前記車両は、画像撮像装置を備え、
前記乗車人数検知部は、前記画像撮影装置により撮像された画像を用いて前記乗車人数を検知する、消費電力予測装置。
【請求項５】
請求項２または３に記載の消費電力予測装置において、さらに、
前記座席センサを用いて乗車位置を判断し、前記乗車位置に基づいて、各空調装置のオン・オフを制御する空調装置制御部を備える、消費電力予測装置。
【請求項６】
請求項１〜５のいずれか一項に記載の消費電力予測装置において、
前記空調装置動作数検知部は、各空調装置のスイッチのオン・オフの数を用いて前記空調装置の動作数を検知する、消費電力予測装置。
【請求項７】
エンジンと、前記エンジンの動力によって駆動される発電機からの電力により充電可能なバッテリと、前記バッテリの電力を用いて駆動される２以上の空調装置と、を備える車両の車両制御装置であって、
請求項１〜６のいずれか一項に記載の消費電力予測装置と、
前記エンジンのアイドリングストップ制御を行うアイドリングストップ制御部と、
前記バッテリの蓄電状態（ＳＯＣ）を検出するＳＯＣ検出部と、
前記車両の走行時に、前記消費電力予測装置により予測された前記空調装置の消費電力に基づいて、前記アイドリングストップ制御によるエンジン停止から再始動までのストップアンドスタート期間において使用すると予想されるアイドリングストップ用電力量を設定する電力量設定部と、
前記車両の走行時に、前記ＳＯＣ検出部によって検出されたＳＯＣと、前記使用可能なＳＯＣ範囲の下限値との差である残存電力量が、前記アイドリングストップ用の電力量を下回ることを回避するように、前記発電機の電力による前記バッテリの充電を制御するＳＯＣ制御部と
を備える車両制御装置。
【請求項８】
請求項７に記載の車両制御装置であって、
前記車両の走行状態から停止状態に減速されるときに、回生される回生電力量を予測する回生電力量予測部を備え、
前記ＳＯＣ制御部は、走行中の前記残存電力量に前記回生電力量を加えた電力量が、前記アイドリングストップ用の電力量を下回ることを回避するように、前記発電機の電力による前記バッテリの充電を制御する、車両制御装置。
【請求項９】
請求項７または請求項８に記載の車両制御装置であって、
前記電力量設定部は、
停車を引き起こす車両の走行環境を予測する走行環境予測部を備え、
前記走行環境に基づいて前記アイドリングストップ用電力量を決定する、
車両制御装置。
【請求項１０】
車両であって、
エンジンと、
前記エンジンの動力によって駆動される発電機からの電力により充電可能なバッテリと、
前記バッテリの電力を用いて駆動される２以上の空調装置と、
請求項７〜９のいずれか一項に記載の車両制御装置と、
を備える、車両。
【請求項１１】
エンジンと、前記エンジンの動力によって駆動される発電機からの電力により充電可能なバッテリと、前記バッテリの電力を用いて動作可能な２以上の空調装置と、を備える車両で消費される消費電力を予測する消費電力予測方法であって、
（ａ）車両の乗車人数を検知する工程と、
（ｂ）前記車両の空調装置の動作数を検知する工程と、
（ｃ）前記車両内の室温を検知する工程と、
（ｄ）前記空調装置の設定温度を取得する工程と、
（ｅ）前記乗車人数と、前記空調装置の動作数と、前記室温と、前記空調装置設定温度と、を用いて、前記エンジンのアイドリングストップ中の前記空調装置の消費電力を、前記アイドリングストップが発生する前の前記車両の走行中に予測する工程と、
を備える消費電力予測方法。
【請求項１２】
エンジンと、前記エンジンの動力によって駆動される発電機からの電力により充電可能なバッテリと、前記バッテリの電力を用いて動作可能な２以上の空調装置を有する車両を制御する車両制御方法であって、
（ｆ）アイドリングストップ制御を行う工程と、
（ｇ）前記バッテリの蓄電状態（ＳＯＣ）を検出する工程と、
（ｈ）前記車両の走行時に、請求項１１に記載の工程（ａ）〜（ｅ）の結果を用いて、前記エンジンのアイドリングストップ中に前記空調装置によって消費される電力量をアイドリングストップ用の電力量として予測する工程と、
（ｉ）前記車両の走行時に、前記ＳＯＣ検出部によって検出されたＳＯＣと、前記使用可能なＳＯＣ範囲の下限値との差である残存電力量が、前記アイドリングストップ用の電力量を下回ることを回避するように、前記発電機の電力による前記バッテリの充電を制御する工程と
を備える車両制御方法。
【手続補正書】
【提出日】平成26年2月4日(2014.2.4)
【手続補正１】
【補正対象書類名】特許請求の範囲
【補正対象項目名】全文
【補正方法】変更
【補正の内容】
【特許請求の範囲】
【請求項１】
エンジンと、前記エンジンの動力によって駆動される発電機からの電力により充電可能なバッテリと、前記バッテリの電力を用いて動作可能な２以上の空調装置と、を備える車両の車両制御装置であって、
前記車両で消費される消費電力を予測する消費電力予測装置と、
前記エンジンのアイドリングストップ制御を行うアイドリングストップ制御部と、
前記バッテリの蓄電状態（ＳＯＣ）を検出するＳＯＣ検出部と、
前記車両の走行時に、前記消費電力予測装置により予測された前記空調装置の消費電力に基づいて、前記アイドリングストップ制御によるエンジン停止から再始動までのストップアンドスタート期間において使用すると予想されるアイドリングストップ用電力量を設定する電力量設定部と、
前記車両の走行時に、前記ＳＯＣ検出部によって検出されたＳＯＣと、前記使用可能なＳＯＣ範囲の下限値との差である残存電力量が、前記アイドリングストップ用の電力量を下回ることを回避するように、前記発電機の電力による前記バッテリの充電を制御するＳＯＣ制御部と
を備え、
前記消費電力予測装置は、
車両の乗車人数を検知する乗車人数検知部と、
前記車両の空調装置の動作数を検知する空調装置動作数検知部と、
前記車両の乗車室内の室温を検知する室温検知部と、
前記各空調装置の設定温度を取得する空調装置設定温度取得部と、
前記乗車人数と、前記空調装置の動作数と、前記室温と、前記空調装置設定温度と、を用いて、前記エンジンのアイドリングストップ中の前記空調装置の消費電力を、前記アイドリングストップが発生する前の前記車両の走行中に予測する消費電力予測部と、
を備え、
前記ＳＯＣ制御部は、
（ａ）予測された前記車両で消費される消費電力に基づいて自車両状態のレベルを算出し、
（ｂ）
（ｉ）遡る所定期間における前記車両の停車時間比率を算出して、前記停車時間比率と、
（ｉｉ）ナビゲーションシステムの道路地図情報あるいは、ＶＩＣＳシステム（ＶＩＣＳは登録商標）からの渋滞や交通規制などの道路交通情報と、
（ｉｉｉ）車両の平均速度と、加速度と、変速機の変速回数とのうちの少なくとも１つと、
の少なくとも１つを用いて走行環境指数を算出し、
（ｃ）前記自車両状態のレベルと前記走行環境指数とを用いてＳＯＣの目標値を算出して前記発電機の電力による前記バッテリの充電を制御する、車両制御装置。
【請求項２】
請求項１に記載の車両制御装置において、
前記乗車人数検知部は、車両の座席に設けられた座席センサを用いて前記乗車人数を検知する、車両制御装置。
【請求項３】
請求項２に記載の車両制御装置において、
前記座席センサは、前記座席に備え付けられたシートベルトの着脱センサである、車両制御装置。
【請求項４】
請求項１に記載の車両制御装置において、
前記車両は、画像撮像装置を備え、
前記乗車人数検知部は、前記画像撮影装置により撮像された画像を用いて前記乗車人数を検知する、車両制御装置。
【請求項５】
請求項２または３に記載の車両制御装置において、さらに、
前記座席センサを用いて乗車位置を判断し、前記乗車位置に基づいて、各空調装置のオン・オフを制御する空調装置制御部を備える、車両制御装置。
【請求項６】
請求項１〜５のいずれか一項に記載の車両制御装置において、
前記空調装置動作数検知部は、各空調装置のスイッチのオン・オフの数を用いて前記空調装置の動作数を検知する、車両制御装置。
【請求項７】
請求項１〜６のいずれか一項に記載の車両制御装置であって、
前記車両の走行状態から停止状態に減速されるときに、回生される回生電力量を予測する回生電力量予測部を備え、
前記ＳＯＣ制御部は、走行中の前記残存電力量に前記回生電力量を加えた電力量が、前記アイドリングストップ用の電力量を下回ることを回避するように、前記発電機の電力による前記バッテリの充電を制御する、車両制御装置。
【請求項８】
請求項１〜７のいずれか一項に記載の車両制御装置であって、
前記電力量設定部は、
停車を引き起こす車両の走行環境を予測する走行環境予測部を備え、
前記走行環境に基づいて前記アイドリングストップ用電力量を決定する、
車両制御装置。
【請求項９】
車両であって、
エンジンと、
前記エンジンの動力によって駆動される発電機からの電力により充電可能なバッテリと、
前記バッテリの電力を用いて駆動される２以上の空調装置と、
請求項１〜８のいずれか一項に記載の車両制御装置と、
を備える、車両。
【請求項１０】
エンジンと、前記エンジンの動力によって駆動される発電機からの電力により充電可能なバッテリと、前記バッテリの電力を用いて動作可能な２以上の空調装置と、を備える車両を制御する車両制御方法であって、
（ａ）前記車両で消費される消費電力を予測する工程と、
（ｂ）アイドリングストップ制御を行う工程と、
（ｃ）前記バッテリの蓄電状態（ＳＯＣ）を検出する工程と、
（ｄ）前記車両の走行時に、前記工程（ａ）の結果を用いて、前記エンジンのアイドリングストップ中に前記空調装置によって消費される電力量をアイドリングストップ用の電力量として予測する工程と、
（ｅ）前記車両の走行時に、前記ＳＯＣ検出部によって検出されたＳＯＣと、前記使用可能なＳＯＣ範囲の下限値との差である残存電力量が、前記アイドリングストップ用の電力量を下回ることを回避するように、前記発電機の電力による前記バッテリの充電を制御する工程と
を備え、
前記工程（ａ）は、
（ａ−１）車両の乗車人数を検知する工程と、
（ａ−２）前記車両の空調装置の動作数を検知する工程と、
（ａ−３）前記車両内の室温を検知する工程と、
（ａ−４）前記空調装置の設定温度を取得する工程と、
（ａ−５）前記乗車人数と、前記空調装置の動作数と、前記室温と、前記空調装置設定温度と、を用いて、前記エンジンのアイドリングストップ中の前記空調装置の消費電力を、前記アイドリングストップが発生する前の前記車両の走行中に予測する工程と、
を備え、
前記工程（ｅ）は、
（ｅ−１）予測された前記車両で消費される消費電力に基づいて自車両状態のレベルを算出し、
（ｅ−２）
（ｉ）遡る所定期間における前記車両の停車時間比率を算出して、前記停車時間比率と、
（ｉｉ）ナビゲーションシステムの道路地図情報あるいは、ＶＩＣＳシステムからの渋滞や交通規制などの道路交通情報と、
（ｉｉｉ）車両の平均速度と、加速度と、変速機の変速回数とのうちの少なくとも１つと、
の少なくとも１つを用いて走行環境指数を算出する工程と、
（ｅ−３）前記自車両状態のレベルと前記走行環境指数とを用いてＳＯＣの目標値を算出して前記発電機の電力による前記バッテリの充電を制御する工程と
を備える、車両制御方法。
【手続補正３】
【補正対象書類名】明細書
【補正対象項目名】０００８
【補正方法】変更
【補正の内容】
【０００８】
本発明は、上述の課題の少なくとも一部を解決するために、以下の形態または適用例を取ることが可能である。
本発明の一形態によれば、  エンジンと、前記エンジンの動力によって駆動される発電機からの電力により充電可能なバッテリと、前記バッテリの電力を用いて動作可能な２以上の空調装置と、を備える車両の車両制御装置が提供される。この車両制御装置は、前記車両で消費される消費電力を予測する消費電力予測装置と、前記エンジンのアイドリングストップ制御を行うアイドリングストップ制御部と、前記バッテリの蓄電状態（ＳＯＣ）を検出するＳＯＣ検出部と、前記車両の走行時に、前記消費電力予測装置により予測された前記空調装置の消費電力に基づいて、前記アイドリングストップ制御によるエンジン停止から再始動までのストップアンドスタート期間において使用すると予想されるアイドリングストップ用電力量を設定する電力量設定部と、前記車両の走行時に、前記ＳＯＣ検出部によって検出されたＳＯＣと、前記使用可能なＳＯＣ範囲の下限値との差である残存電力量が、前記アイドリングストップ用の電力量を下回ることを回避するように、前記発電機の電力による前記バッテリの充電を制御するＳＯＣ制御部とを備える。前記消費電力予測装置は、車両の乗車人数を検知する乗車人数検知部と、前記車両の空調装置の動作数を検知する空調装置動作数検知部と、前記車両の乗車室内の室温を検知する室温検知部と、前記各空調装置の設定温度を取得する空調装置設定温度取得部と、前記乗車人数と、前記空調装置の動作数と、前記室温と、前記空調装置設定温度と、を用いて、前記エンジンのアイドリングストップ中の前記空調装置の消費電力を、前記アイドリングストップが発生する前の前記車両の走行中に予測する消費電力予測部と、を備える。前記ＳＯＣ制御部は、（ａ）予測された前記車両で消費される消費電力に基づいて自車両状態のレベルを算出し、（ｂ）（ｉ）遡る所定期間における前記車両の停車時間比率を算出して、前記停車時間比率と、（ｉｉ）ナビゲーションシステムの道路地図情報あるいは、ＶＩＣＳシステムからの渋滞や交通規制などの道路交通情報と、（ｉｉｉ）車両の平均速度と、加速度と、変速機の変速回数とのうちの少なくとも１つと、の少なくとも１つを用いて走行環境指数を算出し、（ｃ）前記自車両状態のレベルと前記走行環境指数とを用いてＳＯＣの目標値を算出して前記発電機の電力による前記バッテリの充電を制御する。一般に人間は、発熱体であり、乗車人数により、空調装置の消費電力が異なる。この形態の車両制御装置によれば、車両の乗車人数に基づいて、空調装置の消費電力を予測するので、車両の消費電力の予測精度を向上させることができる。また、前記車両の走行時に、前記ＳＯＣ検出部によって検出されたＳＯＣと、前記使用可能なＳＯＣ範囲の下限値との差である残存電力量が、前記アイドリングストップ用の電力量を下回ることを回避するように、前記発電機の電力による前記バッテリの充電が制御される。このため、ストップアンドスタート期間の途中でＳＯＣ不足からエンジンが再始動されることを抑制することができる。エンジンの運転時における動力増大によるＳＯＣの増加は、ストップアンドスタート期間の途中でＳＯＣ不足からエンジンを再始動する場合に比べて、単位ＳＯＣ（例えばＳＯＣ１％）当たりの燃費効果���高いことから、車両の燃費を向上させることができる。
【国際調査報告】
2013088464.tif 000013
2013088464.tif 000014
2013088464.tif 000015
2013088464.tif 000016
2013088464.tif 000017
2013088464.tif 000018